(57)【要約】      （修正有）【課題】吸収体のより広い範囲で排泄物を吸収させることができる吸収性物品を提供する。【解決手段】吸収体（１０）は、幅方向における吸収体（１０）の中央領域に、厚さ方向に凹み、長手方向に沿う、排泄物を誘導する中央誘導部（１４）と、長手方向における吸収体（１０）の前側領域に、厚さ方向に凹み、長手方向と交差する前側圧搾部（２６ａ）と、を有しており、吸収体（１０）が吸収したときに排泄物が存在する領域を排泄物存在領域（Ｑ）としたとき、排泄物存在領域（Ｑ）の長手方向の長さ（Ｔ）の半分を、排泄物存在領域（Ｑ）の幅方向の長さ（Ｓ）で除した値が、吸収体（１０）の前側圧搾部（２６）の長手方向の最も前側の端（２６ａｅ）からウィング粘着部（３１）の長手方向の中央までの距離（Ｈ）を、中央における吸収体（１０）の幅方向の長さ（Ｋ）で除した値以上となるように、中央誘導部（１４）が排泄物を誘導する。【選択図】図９
2017196313.tif 000002
【特許請求の範囲】
【請求項１】
互いに直交する長手方向、幅方向、及び厚さ方向を有し、
吸収体と、
前記厚さ方向の非肌側にそれぞれウィング粘着部を備えた、前記幅方向の外側に突出する一対のウィング部と、を有する吸収性物品であって、
前記吸収体は、
前記幅方向における前記吸収体の中央領域に、前記厚さ方向に凹み、前記長手方向に沿う、排泄物を誘導する中央誘導部と、
前記長手方向における前記吸収体の前側領域に、前記厚さ方向に凹み、前記長手方向と交差する前側圧搾部と、を有しており、
前記吸収体が吸収したときに前記排泄物が存在する領域を排泄物存在領域としたとき、
前記排泄物存在領域の前記長手方向の長さの半分を、前記排泄物存在領域の前記幅方向の長さで除した値が、
前記吸収体の前記前側圧搾部の前記長手方向の最も前側の端から前記ウィング粘着部の前記長手方向の中央までの距離を、前記中央における前記吸収体の前記幅方向の長さで除した値以上となるように、前記中央誘導部が前記排泄物を誘導することを特徴とする吸収性物品。
【請求項２】
請求項１に記載の吸収性物品であって、
前記排泄物が前記前側圧搾部の前記長手方向の最も前側の端に到達したときの前記排泄物存在領域を最大排泄物存在領域とし、
前記最大排泄物存在領域の前記長手方向の長さの半分を、前記最大排泄物存在領域の前記幅方向の長さで除した値が、前記吸収体の前記前側圧搾部の前記長手方向の最も前側の端から前記ウィング粘着部の前記長手方向の中央までの距離を、前記中央における前記吸収体の前記幅方向の長さで除した値以上であることを満たす最も広い領域であることを特徴とする吸収性物品。
【請求項３】
請求項１又は２に記載の吸収性物品であって、
前記吸収体は、前記長手方向における前記吸収体の少なくとも中央領域に、前記長手方向に沿った一方側線状圧搾部及び他方側線状圧搾部が設けられてり、
前記一方側線状圧搾部は、前記幅方向において、前記吸収体の一方側の端と前記中央誘導部との間に位置しており、
前記他方側線状圧搾部は、前記幅方向において、前記吸収体の他方側の端と前記中央誘導部との間に位置しており、
前記排泄物存在領域の前記長手方向の長さの半分を、前記排泄物存在領域の前記幅方向の長さで除した値が、
前記吸収体の前記前側圧搾部の前記長手方向の最も前側の端から前記中央までの距離を、前記中央における前記幅方向における前記一方側線状圧搾部の前記幅方向の外側の端と前記他方側線状圧搾部の前記幅方向の外側の端との距離で除した値以上となるように、前記中央誘導部が前記排泄物を誘導することを特徴とする吸収性物品。
【請求項４】
請求項１から３のいずれか１項に記載の吸収性物品であって、
前記吸収性物品は、肌側面を内側にして折り畳むための、前記幅方向に沿った複数の折り畳み部を有しており、
前記吸収体は、前記長手方向における前記吸収体の後側領域に、前記厚さ方向に凹み、前記長手方向と交差する後側圧搾部を有しており、
前記折り畳み部は、前記ウィング粘着部より前記長手方向の前側、及び前記長手方向の後側に、それぞれ１つ以上設けられており、
前記前側圧搾部が、前記長手方向の前側に位置する前記折り畳み部のうち、前記ウィング粘着部に最も近い前側折り畳み部より前側に設けられ、かつ、前記後側圧搾部が、前記長手方向の後側に位置する前記折り畳み部のうち、前記ウィング粘着部に最も近い後側折り畳み部より後側に設けられていることを特徴とする吸収性物品。
【請求項５】
請求項１から４のいずれか１項に記載の吸収性物品であって、
前記吸収体は、前記長手方向における前記吸収体の後側領域に、前記厚さ方向に凹み、前記長手方向に沿った、線状の後側線状圧搾部を有していることを特徴とする吸収性物品。
【請求項６】
請求項５に記載の吸収性物品であって、
前記吸収体は、前記長手方向における前記吸収体の後側領域に、前記厚さ方向に凹み、前記長手方向と交差する後側圧搾部を少なくとも１つ有しており、
前記後側線状圧搾部は、前記長手方向における、前記ウィング粘着部の後側の端から、最も後側に位置する前記後側圧搾部の最も後側の端までの間に位置していることを特徴とする吸収性物品。
【請求項７】
請求項５又は６に記載の吸収性物品であって、
一対の前記後側線状圧搾部と、前記後側線状圧搾部の前記長手方向の各端と接続された前記後側圧搾部とを有する第１圧搾部と、
一対の他の前記後側線状圧搾部、及び他の前記後側線状圧搾部の前記長手方向の各端と接続された他の前記後側圧搾部とを有する第２圧搾部と、を備えており、
前記長手方向及び前記幅方向において、前記第１圧搾部は、前記第２圧搾部より内側に位置していることを特徴とする吸収性物品。
【請求項８】
請求項５から７のいずれか１項に記載の吸収性物品であって、
前記中央誘導部は、前記吸収体の前側の端から後側の端まで設けられており、
前記中央誘導部は、前記前側圧搾部及び前記後側圧搾部と交差していることを特徴とする吸収性物品。
【請求項９】
請求項１から８のいずれか１項に記載の吸収性物品であって、
前記吸収体は、液体吸収性繊維を有し、前記中央誘導部の前記幅方向の両側にそれぞれ、前記厚さ方向に凹んだ点状圧搾部が複数設けられており、
前記中央誘導部の前記液体吸収性繊維の密度は、前記幅方向において、中央部の方が端部よりも高く、
前記点状圧搾部の前記液体吸収性繊維の密度は、前記幅方向において、中央部の方が端部よりも高く、
前記中央誘導部の中央部の前記厚さ方向における中央位置は、前記点状圧搾部の中央部の前記厚さ方向における中央位置より、前記厚さ方向において肌側に位置することを特徴とする吸収性物品。
【請求項１０】
請求項９に記載の吸収性物品であって、    
前記中央誘導部と、前記中央誘導部と前記幅方向に隣接する前記点状圧搾部との間に、前記中央誘導部についての前記中央部及び前記点状圧搾部についての前記中央部の前記液体吸収性繊維の密度より低い前記液体吸収性繊維の密度を有する領域が設けられていることを特徴とする吸収性物品。
【請求項１１】
請求項９又は１０に記載の吸収性物品であって、
前記液体吸収性繊維の密度は、前記中央誘導部についての前記中央部より、前記点状圧搾部についての前記中央部の方が高いことを特徴とする吸収性物品。
【請求項１２】
請求項９から１１のいずれか１項に記載の吸収性物品であって、
前記点状圧搾部の前記長手方向の長さは、前記幅方向の長さより長いことを特徴とする吸収性物品。
【請求項１３】
請求項９から１２のいずれか１項に記載の吸収性物品であって、
前記幅方向において、前記幅方向に隣接する前記点状圧搾部同士の中心の間隔が均等であることを特徴とする吸収性物品。
【発明の詳細な説明】
【技術分野】
【０００１】
本発明は、吸収性物品に関する。
【背景技術】
【０００２】
吸収性物品の一例として生理用ナプキンが挙げられる。特許文献１には、ドッド状エンボス７が形成された吸収体４を有する生理用ナプキン１が開示されている。このドッド状エンボス７によって設けられた繊維密度差による毛管現象作用で吸収性能を向上させることが示されている。
【先行技術文献】
【特許文献】
【０００３】
【特許文献１】特開２００８−１３６５６４号公報
【発明の概要】
【発明が解決しようとする課題】
【０００４】
しかし、上記特許文献１の生理用ナプキン１では、ドッド状エンボス７が規則的パターンで設けられているため、体液排出部位を示す領域Ｈで吸収した体液を毛管現象作用で移行させることで略同心円状に体液が拡散されることになる。このとき、生理用ナプキン１のような吸収性物品では、吸収体４の長手方向の長さは用途に応じて調整することができるが、幅方向の長さは使用者の股の長さによって制限されるため、幅方向の長さの方が短くなる。そのため、長手方向に吸収できる範囲が広く設けられているにも関わらず、略同心円状に拡散された体液が吸収体４の幅方向の端から漏れてしまう恐れがある。
【０００５】
本発明は、上記のような問題に鑑みてなされたものであって、吸収体のより広い範囲で排泄物を吸収させることを目的とする。
【課題を解決するための手段】
【０００６】
上記目的を達成するための主たる発明は、互いに直交する長手方向、幅方向、及び厚さ方向を有し、吸収体と、前記厚さ方向の非肌側にそれぞれウィング粘着部を備えた、前記幅方向の外側に突出する一対のウィング部と、を有する吸収性物品であって、前記吸収体は、前記幅方向における前記吸収体の中央領域に、前記厚さ方向に凹み、前記長手方向に沿う、排泄物を誘導する中央誘導部と、前記長手方向における前記吸収体の前側領域に、前記厚さ方向に凹み、前記長手方向と交差する前側圧搾部と、を有しており、前記吸収体が吸収したときに前記排泄物が存在する領域を排泄物存在領域としたとき、前記排泄物存在領域の前記長手方向の長さの半分を、前記排泄物存在領域の前記幅方向の長さで除した値が、前記吸収体の前記前側圧搾部の前記長手方向の最も前側の端から前記ウィング粘着部の前記長手方向の中央までの距離を、前記中央における前記吸収体の前記幅方向の長さで除した値以上となるように、前記中央誘導部が前記排泄物を誘導することを特徴とする吸収性物品である。  
本発明の他の特徴については、本明細書及び添付図面の記載により明らかにする。
【発明の効果】
【０００７】
本発明によれば、吸収体のより広い範囲で排泄物を吸収させることができる。
【図面の簡単な説明】
【０００８】
【図１】図１は、ナプキン１を肌側から見た平面図である。
【図２】図２は、ナプキン１を非肌側から見た平面図である。
【図３】図３は、図１中のＡ−Ａ矢視で示す概略断面図である。
【図４】図４は、吸収体１０を非肌側から見た平面図である。
【図５】図５は、吸収体１０を肌側から見た吸収体点状圧搾部１５の拡大模式図である。
【図６】図６Ａは、図１中のＥ−Ｅ矢視で示す部分の吸収体１０に吸収体点状圧搾部１５を形成した概略断面図である。図６Ｂは、図６Ａの吸収体１０に中央誘導部１４を形成した概略断面図である。図６Ｃは、図６Ｂの吸収体１０にトップシート３を積層した概略断面図である。図６Ｄは、図１中のＥ−Ｅ矢視で示す部分のナプキン１の概略断面図である。
【図７】図７は、ナプキン１の使用態様について説明する図である。
【図８】図８Ａは、吸収体点状圧搾部及び中央誘導部を有さない吸収体について説明する図である。図８Ｂは、吸収体点状圧搾部を有し、中央誘導部を有さない吸収体について説明する図である。図８Ｃは、吸収体点状圧搾部を有しておらず、中央誘導部を有する吸収体について説明する図である。図８Ｄは、吸収体点状圧搾部と中央誘導部を有する吸収体について説明する図である。
【図９】図９は、ナプキン１が排泄物を吸収したときの排泄物存在領域Ｑ（ｑ）を説明する模式図である。
【図１０】図１０Ａは、ナプキン１００の使用前の状態を示す模式図である。図１０Ｂは、図１０Ａのナプキン１００に液体を滴下し、所定時間経過後の状態を示す模式図である。図１０Ｃは、図１０Ａのナプキン１００に液体を滴下し、所定時間経過後の状態を示す模式図である。
【図１１】図１１Ａは、ナプキン１の使用前の状態を示す模式図である。図１１Ｂは、図１１Ａのナプキン１に液体を滴下し、所定時間経過後の状態を示す模式図である。図１１Ｃは、図１１Ａのナプキン１に液体を滴下し、所定時間経過後の状態を示す模式図である。図１１Ｄは、ナプキン１の最大排泄物存在領域ｑｍを示す模式図である。
【発明を実施するための形態】
【０００９】
本明細書及び添付図面の記載により、少なくとも以下の事項が明らかとなる。  
互いに直交する長手方向、幅方向、及び厚さ方向を有し、吸収体と、前記厚さ方向の非肌側にそれぞれウィング粘着部を備えた、前記幅方向の外側に突出する一対のウィング部と、を有する吸収性物品であって、前記吸収体は、前記幅方向における前記吸収体の中央領域に、前記厚さ方向に凹み、前記長手方向に沿う、排泄物を誘導する中央誘導部と、前記長手方向における前記吸収体の前側領域に、前記厚さ方向に凹み、前記長手方向と交差する前側圧搾部と、を有しており、前記吸収体が吸収したときに前記排泄物が存在する領域を排泄物存在領域としたとき、前記排泄物存在領域の前記長手方向の長さの半分を、前記排泄物存在領域の前記幅方向の長さで除した値が、前記吸収体の前記前側圧搾部の前記長手方向の最も前側の端から前記ウィング粘着部の前記長手方向の中央までの距離を、前記中央における前記吸収体の前記幅方向の長さで除した値以上となるように、前記中央誘導部が前記排泄物を誘導することを特徴とする吸収性物品である。
【００１０】
このような吸収性物品によれば、排泄物存在領域が吸収体の幅方向の両端に達するより前に前側圧搾部に達するように排泄物を誘導することができるため、吸収体のより広い範囲で排泄物を吸収させることができる。
【００１１】
かかる吸収性物品であって、請求項１に記載の吸収性物品であって、前記排泄物が前記前側圧搾部の前記長手方向の最も前側の端に到達したときの前記排泄物存在領域を最大排泄物存在領域とし、前記最大排泄物存在領域の前記長手方向の長さの半分を、前記最大排泄物存在領域の前記幅方向の長さで除した値が、前記吸収体の前記前側圧搾部の前記長手方向の最も前側の端から前記ウィング粘着部の前記長手方向の中央までの距離を、前記中央における前記吸収体の前記幅方向の長さで除した値以上であることを満たす最も広い領域であることが好ましい。
【００１２】
このような吸収性物品によれば、排泄物が最大排泄物存在領域まで広がった状態においても、吸収体の幅方向の両端から排泄物が漏れてしまう恐れを軽減することができる。
【００１３】
かかる吸収性物品であって、前記吸収体は、前記長手方向における前記吸収体の少なくとも中央領域に、前記長手方向に沿った一方側線状圧搾部及び他方側線状圧搾部が設けられてり、前記一方側線状圧搾部は、前記幅方向において、前記吸収体の一方側の端と前記中央誘導部との間に位置しており、前記他方側線状圧搾部は、前記幅方向において、前記吸収体の他方側の端と前記中央誘導部との間に位置しており、前記排泄物存在領域の前記長手方向の長さの半分を、前記排泄物存在領域の前記幅方向の長さで除した値が、前記吸収体の前記前側圧搾部の前記長手方向の最も前側の端から前記中央までの距離を、前記中央における前記幅方向における前記一方側線状圧搾部の前記幅方向の外側の端と前記他方側線状圧搾部の前記幅方向の外側の端との距離で除した値以上となるように、前記中央誘導部が前記排泄物を誘導することが好ましい。
【００１４】
このような吸収性物品によれば、排泄物存在領域が、吸収体の一方側線状圧搾部の幅方向の外側の端及び他方側線状圧搾部の幅方向の外側の端に達するより前に前側圧搾部に達するように排泄物を誘導することができるため、吸収体のより広い範囲で排泄物を吸収させることができる。
【００１５】
かかる吸収性物品であって、前記吸収性物品は、肌側面を内側にして折り畳むための、前記幅方向に沿った複数の折り畳み部を有しており、前記吸収体は、前記長手方向における前記吸収体の後側領域に、前記厚さ方向に凹み、前記長手方向と交差する後側圧搾部を有しており、前記折り畳み部は、前記ウィング粘着部より前記長手方向の前側、及び前記長手方向の後側に、それぞれ１つ以上設けられており、前記前側圧搾部が、前記長手方向の前側に位置する前記折り畳み部のうち、前記ウィング粘着部に最も近い前側折り畳み部より前側に設けられ、かつ、前記後側圧搾部が、前記長手方向の後側に位置する前記折り畳み部のうち、前記ウィング粘着部に最も近い後側折り畳み部より後側に設けられていることが好ましい。
【００１６】
このような吸収性物品によれば、長手方向の前側及び後側にそれぞれ折り畳み部より外側に前側圧搾部及び後側圧搾部を設けることによって、長手方向に沿って誘導された排泄物が、前側圧搾部及び後側圧搾部でより幅方向に誘導されるため、前側圧搾部及び後側圧搾部より長手方向の外側に排泄物が誘導されることを軽減しつつ、吸収体のより広い範囲で排泄物を吸収させることができる。
【００１７】
かかる吸収性物品であって、前記吸収体は、前記長手方向における前記吸収体の後側領域に、前記厚さ方向に凹み、前記長手方向に沿った、線状の後側線状圧搾部を有していることが好ましい。
【００１８】
このような吸収性物品によれば、後側線状圧搾部によって排泄物を誘導させることができるため、特に前側より後側の方が長い吸収性物品の場合において、より後側に排泄物を拡散することができ、吸収体のより広い範囲で排泄物を吸収させることができる。
【００１９】
かかる吸収性物品であって、前記吸収体は、前記長手方向における前記吸収体の後側領域に、前記厚さ方向に凹み、前記長手方向と交差する後側圧搾部を少なくとも１つ有しており、前記後側線状圧搾部は、前記長手方向における、前記ウィング粘着部の後側の端から、最も後側に位置する前記後側圧搾部の最も後側の端までの間に位置していることが好ましい。
【００２０】
このような吸収性物品によれば、後側線状圧搾部によって誘導した排泄物を後側圧搾部で幅方向に拡散することができるため、後側圧搾部より長手方向の外側に排泄物が拡散することを軽減することができる。
【００２１】
かかる吸収性物品であって、一対の前記後側線状圧搾部と、前記後側線状圧搾部の前記長手方向の各端と接続された前記後側圧搾部とを有する第１圧搾部と、一対の他の前記後側線状圧搾部、及び他の前記後側線状圧搾部の前記長手方向の各端と接続された他の前記後側圧搾部とを有する第２圧搾部と、を備えており、前記長手方向及び前記幅方向において、前記第１圧搾部は、前記第２圧搾部より内側に位置していることが好ましい。
【００２２】
このような吸収性物品によれば、第１圧搾部の後側線状圧搾部によって、排泄物を長手方向のより外側に誘導することができ、第１圧搾部の後側線状圧搾部の幅方向のより外側に排泄物が移動した場合であっても、外側に位置する第２圧搾部の他の後側線状圧搾部によって、吸収体の幅方向の外側に排泄物が漏れてしまう恐れを軽減することができる。また、第１圧搾部の後側圧搾部によって、排泄物を幅方向のより外側に移動させることができ、第１圧搾部の後側圧搾部より長手方向の外側に排泄物が移動した場合であっても、外側に位置する第２圧搾部の他の後側圧搾部によって、吸収体の長手方向の外側に排泄物が漏れてしまう恐れを軽減することができる。
【００２３】
かかる吸収性物品であって、前記中央誘導部は、前記吸収体の前側の端から後側の端まで設けられており、前記中央誘導部は、前記前側圧搾部及び前記後側圧搾部と交差していることが好ましい。
【００２４】
このような吸収性物品によれば、長手方向への誘導を促す傾向が強い中央誘導部を吸収体の前側の端から後側の端まで設けた場合においても、中央誘導部が前側圧搾部及び後側圧搾部と交差することによって、それぞれ交差した部分で前側圧搾部及び後側圧搾部が幅方向への誘導を促すことができるため、吸収体の長手方向の外側に排泄物が拡散することを軽減することができる。
【００２５】
かかる吸収性物品であって、前記吸収体は、液体吸収性繊維を有し、前記中央誘導部の前記幅方向の両側にそれぞれ、前記厚さ方向に凹んだ点状圧搾部が複数設けられており、前記中央誘導部の前記液体吸収性繊維の密度は、前記幅方向において、中央部の方が端部よりも高く、前記点状圧搾部の前記液体吸収性繊維の密度は、前記幅方向において、中央部の方が端部よりも高く、前記中央誘導部の中央部の前記厚さ方向における中央位置は、前記点状圧搾部の中央部の前記厚さ方向における中央位置より、前記厚さ方向において肌側に位置することが好ましい。
【００２６】
このような吸収性物品によれば、吸収体が中央誘導部によって肌側に折れ曲がることで、使用者の膣口等の排泄口に当接されるため、まず、中央誘導部で吸収した排泄物を肌側から非肌側へ移動させて、点状圧搾部へ移動させるため、吸収性物品のフィット性を向上させつつ、肌に当接する面の肌触りを向上させることができる。
【００２７】
かかる吸収性物品であって、前記中央誘導部と、前記中央誘導部と前記幅方向に隣接する前記点状圧搾部との間に、前記中央誘導部についての前記中央部及び前記点状圧搾部についての前記中央部の前記液体吸収性繊維の密度より低い前記液体吸収性繊維の密度を有する領域が設けられていることが好ましい。
【００２８】
このような吸収性物品によれば、排泄物を貯留することができる液体吸収性繊維の低い領域は、中央誘導部で吸収した排泄物を貯留し、貯留した排泄物を隣接する点状圧搾部に吸収させる流路の役割を担うことができる。
【００２９】
かかる吸収性物品によれば、前記液体吸収性繊維の密度は、前記中央誘導部についての前記中央部より、前記点状圧搾部についての前記中央部の方が高いことが好ましい。
【００３０】
このような吸収性物品によれば、まず中央誘導部で吸収した排泄物を、液体吸収性繊維がより高い点状圧搾部に誘導することができる。
【００３１】
かかる吸収性物品によれば、前記点状圧搾部の前記長手方向の長さは、前記幅方向の長さより長いことが好ましい。
【００３２】
このような吸収性物品によれば、排泄物をより長手方向に拡散することができるため、吸収体のより広い範囲で排泄物を吸収させることができる。
【００３３】
かかる吸収性物品によれば、前記幅方向において、前記幅方向に隣接する前記点状圧搾部同士の中心の間隔が均等であることが好ましい。
【００３４】
このような吸収性物品によれば、吸収体の剛性を一定にしつつ、排泄物の拡散を一定にすることができる。
【００３５】
＜＜＜生理用ナプキン１の基本的構成＞＞＞
以下、本発明に係る吸収性物品として生理用ナプキンを例に挙げて実施形態を説明する。図１は、生理用ナプキン１（以下、「ナプキン１」という。）を肌側から見た平面図である。図２は、ナプキン１を非肌側から見た平面図である。図３は、図１中のＡ−Ａ矢視で示す概略断面図である。ナプキン１は、互いに直交する長手方向、幅方向、及び厚さ方向を有する。また、ナプキン１の長手方向のうち、着用者の下腹部に当接する側を「前側」、着用者の臀部に当接する側を「後側」と呼ぶ。また、ナプキン１の厚さ方向のうち、着用者に当接する側を「肌側」、その反対側を「非肌側」と呼ぶ。また、図中のＸ−Ｘ線は幅方向におけるナプキン１の中心線である。
【００３６】
図３に示すように、ナプキン１では、厚さ方向の肌側から順に、トップシート３と、吸収体１０と、バックシート５が積層されている。各部材３、１０、５は厚さ方向に隣接する部材と不図示の接着剤で接合されている。また、ナプキン１は、吸収体１０が設けられたナプキン本体部２０と、ナプキン本体部２０の長手方向中央領域から幅方向の両外側に延出した一対のウィング部３０とを有する。
【００３７】
トップシート３は液透過性のシートであり、エアスルー不織布等を例示できる。バックシート５は液不透過性のシートであり、ポリエチレン（ＰＥ）の樹脂フィルム等を例示できる。トップシート３及びバックシート５の平面形状は同形状であり、その平面サイズは吸収体１０よりも大きく、吸収体１０の平面全体を覆っている。
【００３８】
ナプキン本体部２０の非肌側面（バックシート５の非肌側面）には、本体部用粘着部２１が設けられている。ナプキン１の使用時に本体部用粘着部２１は下着等の肌側面に貼り付けられ、これによりナプキン１は下着等に固定される。図２に示す本体部用粘着部２１は、長手方向に長辺を有する長方形状の３個の粘着部が長手方向に間隔を空けて並ぶと共に、その３個の粘着部の列が幅方向に間隔を空けて８列並ぶ。
【００３９】
同様に各ウィング部３０の非肌側面（バックシート５の非肌側面）には、ウィング部用粘着部３１が設けられている。ナプキン１の使用時にウィング部３０は非肌側に折り曲げられ、ウィング部用粘着部３１は下着等の非肌側面に貼り付けられ、これによりナプキン１は下着等に固定される。図２に示すウィング部用粘着部３１は長手方向に長辺を有する長方形状の粘着部である。
【００４０】
吸収体１０は、排泄物を吸収して内部に保持する部材であり、吸収性コア１２と、吸収性コア１２よりも肌側に肌側シート１１と、吸収性コア１２よりも非肌側に非肌側シート１３とを有しており、各部材１１〜１３は厚さ方向に積層されている。吸収性コア１２は、平面視縦長形状に成形され（図１の破線部分）、液体吸収性繊維であるパルプ繊維等に液体吸収性粒状物である高吸収性ポリマー（所謂ＳＡＰ）等が加えられ、液体吸収性繊維の目付構成比率が約９０％、ＳＡＰの目付構成比率が約１０％で構成されている。なお、液体吸収性繊維としては、セルロース系吸収性繊維を挙げることができる。
【００４１】
肌側シート１１は、液透過性のシートであり、ティッシュペーパー等を例示できる。非肌側シート１３は、液透過性のシートであっても液不透過性のシートであってもよく、ＳＭＳ（スパンボンド／メルトブローン／スパンボンド）不織布等を例示できる。吸収性コア１２、肌側シート１１及び非肌側シート１３は、略同形の平面形状であり、吸収性コア１２を肌面側及び非肌面側からそれぞれ覆うようにして接着剤（不図示）によって接合されている（図３）。なお、肌側シート１１及び非肌側シート１３は、平面形状が異なるものであってもよく、各部材１１〜１３は接着剤によって互いに接合されていなくてもよい。
【００４２】
また、ナプキン１は、長手方向の前側から順に前側領域Ｒ１、中央領域Ｒ２、後側領域Ｒ３を有している（図１）。「前側領域Ｒ１」とは、ウィング部３０が設けられた部分より前側の領域で、ウィング部用粘着部３１より上側でナプキン１が最も幅方向に窪んだ部分より前側の領域をいう。「後側領域Ｒ３」とは、ウィング部３０が設けられた部分より後側の領域で、ウィング部用粘着部３１より後側でナプキン１が最も幅方向に窪んだ部分より後側の領域をいう。長手方向の前側領域Ｒ１と後側領域Ｂの間の領域で、ウィング部３０が設けられている領域を中央領域Ｒ２という。ナプキン１は、前側領域Ｒ１に位置する前側折り畳み部Ｆｆと、後側領域Ｒ３に位置する後側折り畳み部Ｆｂで、３つ折りにされて個別に包装される。
【００４３】
＜中央誘導部１４、吸収体点状圧搾部１５、及び圧搾部２５について＞
図４は、吸収体１０を非肌側から見た平面図である。図５は、吸収体１０を肌側から見た吸収体点状圧搾部１５の拡大模式図である。平面視縦長形状の吸収体１０のうち、幅方向において両外側の長手方向に沿った端をそれぞれ横端１０ｅ、長手方向の前側の湾曲形状の端を前端１０ｅｔ、後側の湾曲形状の端を後端１０ｅｂという。吸収体１０は、吸収体点状圧搾部１５によって厚さ３ｍｍ以下、望ましくは２ｍｍ以下となった所謂薄型の吸収体である。
【００４４】
図４及び図５に示すように、吸収体１０には、長手方向は前端１０ｅｔから後端１０ｅｂの間、幅方向は一方側の横端１０ｅから他方側の横端１０ｅｔの間の領域に、千鳥状で配置された複数の吸収体点状圧搾部１５を有している。吸収体点状圧搾部１５は、肌側及び非肌側からそれぞれ厚さ方向に凹んでいる。また、吸収体点状圧搾部１５の平面形状は幅方向の長さＬｍ２より長手方向の長さＬｍ１の方が長い楕円形で（Ｌｍ１＞Ｌｍ２）、排泄物等の長手方向への拡散を促している。
【００４５】
吸収体点状圧搾部１５は、幅方向に隣接する吸収体点状圧搾部１５同士の中心の間隔が均等であり、長手方向に隣接する吸収体点状圧搾部１５同士の中心の間隔が均等である。これにより、吸収体１０の剛性を一定にしつつ、排泄物等の拡散を一定にすることができる。また、幅方向に隣接する吸収体点状圧搾部１５同士の縁の間隔をＬｂは、吸収体点状圧搾部１５の幅方向の長さＬｍ２より短い（Ｌｍ２＞Ｌｂ）。長手方向に隣接する吸収体点状圧搾部１５の縁の間隔Ｌｊは、幅方向に隣接する吸収体点状圧搾部１５同士の縁の間隔Ｌｂより短い（Ｌｊ＜Ｌｂ）。
【００４６】
吸収体１０には、幅方向の中央部に長手方向に沿った中央誘導部１４が設けられている。中央誘導部１４は、吸収体１０の前端１０ｅｔから後端１０ｅｂまで、肌側及び非肌側からそれぞれ厚さ方向に凹んでいる。中央誘導部１４は、中央誘導部１４を基点として吸収体１０を厚さ方向の肌側に折れ曲がるように誘導し、かつ、排泄物等を長手方向に誘導する。中央誘導部１４による折れ曲がりの誘導と排泄物の誘導の詳細は後述する。
【００４７】
点状圧搾部２５は、トップシート２と吸収体１０が厚さ方向に一緒に圧搾されており、円形状の圧搾部である。点状圧搾部２５は、肌面側から厚さ方向に凹んでおり、後述の圧搾部２６、２７、２８がトップシート２上に区画する略閉じた領域内に離散的に設けられている。
【００４８】
図６Ａ〜図６Ｄは、中央誘導部１４、吸収体点状圧搾部１５、及び点状圧搾部２５の形成について説明する図である。図６Ａは、図１中のＥ−Ｅ矢視で示す部分の吸収体１０に吸収体点状圧搾部１５を形成した概略断面図である。図６Ｂは、図６Ａの吸収体１０に中央誘導部１４を形成した概略断面図である。図６Ｃは、図６Ｂの吸収体１０にトップシート３を積層した概略断面図である。図６Ｄは、図１中のＥ−Ｅ矢視で示す部分のナプキン１の概略断面図である。なお、図６Ａ、図６Ｂ、図６Ｃ中のｙ−ｙ線は厚さ方向における吸収体１０の中心線であり、図６Ｄ中のＹ−Ｙは、厚さ方向におけるナプキン１の中心線である。中央誘導部１４、吸収体点状圧搾部１５、点状圧搾部２５は、複数の突部を有する凸ローラー（不図示）と、表面が平らなアンビルローラー（不図示）との間のロール間隙に吸収体１０、又はトップシート３を重ねた吸収体１０を通して圧搾加工を行い形成される。
【００４９】
まず、吸収体点状圧搾部１５を形成する。加工前の吸収体１０に非肌面側から圧搾（エンボス加工）すると、吸収体点状圧搾部１５が形成され、圧搾されていない領域ａと、圧搾加工されて肌側及び非肌側から凹んだ領域ｂとが形成される（図６Ａ）。領域ｂは液体吸収性繊維が押し潰されて、領域ａより厚みが薄くなり、領域ａより液体吸収性繊維の密度が高くなる。つまり、液体吸収性繊維の密度は、幅方向における、吸収体点状圧搾部１５の中央部ｂｃの方が、吸収体点状圧搾部１５の端部より高い。このとき、吸収体点状圧搾部１５は、吸収体１０の厚さ方向における略中央部に位置している。
【００５０】
続いて、中央誘導部１４を形成する。中央誘導部１４は、吸収体点状圧搾部１５が形成された吸収体１０の吸収体の幅方向の中央部に非肌面側から賦型・圧搾加工をすると、中央誘導部１４が形成され、新たに肌側及び非肌側から凹んだ領域ｃが形成される（図６Ｂ）。領域ｃは、吸収体点状圧搾部１５と同様に、液体吸収性繊維が押し潰されて、領域ａより厚みが薄くなり、領域ａより液体吸収性繊維の密度が高くなる。つまり、液体吸収性繊維の密度が、幅方向において、中央誘導部１４の中央部ｃｃの方が、中央誘導部１４の端部よりも高い。
【００５１】
なお、液体吸収性繊維の密度は、中央誘導部１４の中央部ｃｃより、吸収体点状圧搾部１５の中央部ｂｃの方が高いことが好ましい。これは、吸収体点状圧搾部１５を形成する圧搾を、中央誘導部１４を形成する圧搾より大きな加圧で行うことで実現できる。これにより、まず中央誘導部１４で吸収した排泄物を、液体吸収性繊維の密度がより高い吸収体点状圧搾部１５に誘導することができる。ただし、吸収体点状圧搾部１５を形成した部分に、さらに中央誘導部１４を形成した場合には、部分的に中央誘導部１４の厚みがより薄くなり、液体吸収性繊維の密度がより高くなる。
【００５２】
続いて、図６Ｃに示すように吸収体１０の肌側からトップシート３を積層し、接着剤（ＨＭＡ）により固着する。なお、図６Ｃ及び図６Ｄでは接着剤を省略している。
【００５３】
そして、点状圧搾部２５を形成する。トップシート３と吸収体１０とを厚さ方向に一緒に肌面側から圧搾して、新たに肌側から凹んだ領域ｄが形成される（図６Ｄ）。その後、非肌側にバックシート５を積層して、接着剤で固着してナプキン１とする。領域ｄは、液体吸収性繊維が更に押し潰されて、領域ａより厚みが薄くなり、領域ａより液体吸収性繊維の密度が高くなる。つまり、液体吸収性繊維の密度は、幅方向における、点状圧搾部２５の中央部ｄｃの方が、点状圧搾部２５の端部より高い。このとき、点状圧搾部２５は、ナプキン１の厚さ方向における略中央部に位置している。なお、図６Ｄでは、吸収体点状圧搾部１５が形成された部分に点状圧搾部２５を形成したが、これに限られない。吸収体点状圧搾部１５と点状圧搾部２５を同じ位置に形成しても、別々の位置に形成してもよい。
【００５４】
＜圧搾部２６、２７、２８、２９について＞
また、ナプキン１には、厚さ方向の肌側から非肌側に向かって凹んでいて、隣接する部位に比べて液体吸収性繊維の密度の高い線状の圧搾部２６、２７、２８、２９が設けられている。この圧搾部２６、２７、２８、２９によって、トップシート３と吸収体が厚さ方向の肌側から圧搾（エンボス加工）され、接合一体化されている。圧搾部２６、２７、２８は、全体として長手方向に長い略環状を成しており、吸収体１０の外周縁部に沿って、圧搾部２６と圧搾部２７と圧搾部２８が連なって形成されている。
【００５５】
圧搾部２６は、前側領域Ｒ１に設けられており、前側圧搾部２６ａと線状圧搾部２６ｂを有している。前側圧搾部２６ａは、最も前側に位置し、長手方向と交差して、前側に凸形状を有するナプキン１の外形に概ね沿っている。前側圧搾部２６ａの後側の各端と、線状圧搾部２６ｂの前側の各端はそれぞれ接続されており、線状圧搾部２６ｂは前側圧搾部２６ａより後側で前側圧搾部２６ａの後側の各端から前側領域Ｒ１の後側部分に亘って設けられている。
【００５６】
圧搾部２７は、主に中央領域Ｒ２に設けられており、線状圧搾部（一方側線状圧搾部、他方側線状圧搾部）２７ａと重畳圧搾部２７ｂ、２７ｃを有し、中央誘導部１４について対称な形状である。線状圧搾部２７ａは、中央領域Ｒ２の吸収体１０の幅方向の両端部にそれぞれ、長手方向に沿って設けられており、一方側線状圧搾部２７ａは、吸収体１０の一方側の横端１０ｅと中央誘導部１４との間に位置しており、他方側線状圧搾部２７ａは、他方側の横端１０ｅと中央誘導部との間に位置している。この各線状圧搾部２７ａの最も幅方向の外側の端は、横端１０ｅから所定距離（例えば、７ｍｍ）だけ離間された位置に配置されており、横端１０ｅから各線状圧搾部２７ａの幅方向の最も外側の端までの距離が３ｍｍ以上であることが好ましい。また、重畳圧搾部２７ｂは、線状圧搾部２７ａより前側の前側領域Ｒ１に設けられており、線状圧搾部２６ｂの後側端部に幅方向の外側から隣接し、吸収体１０の幅方向の両端部に位置している。重畳圧搾部２７ｃは、線状圧搾部２７ａより後側の後側領域Ｒ３に設けられており、線状圧搾部２８ｂ（後述）の前側端部に幅方向の外側から隣接し、吸収体１０の幅方向の両端部に位置している。なお、重畳圧搾部２７ｂの後側の各端と、線状圧搾部２７ａの前側の各端はそれぞれ接続しており、線状圧搾部２７ａの後側の各端と、重畳圧搾部２７ｃの前側の各端はそれぞれ接続している。
【００５７】
圧搾部（第２圧搾部）２８は、後側領域Ｒ３に設けられており、後側圧搾部２８ａと線状圧搾部２８ｂを有し、中央誘導部１４について対称な形状である。後側圧搾部２８ａは、最も後側に位置し、長手方向と交差して、ナプキン１の外形に概ね沿っている。後側圧搾部２８ａの前側の各端と、線状圧搾部２８ｂの後側の各端はそれぞれ接続しており、線状圧搾部２８ｂは、後側圧搾部２８ａより前側で、後側圧搾部２８ａの前側の各端から、後側領域Ｒ３の前側部分に亘って設けられている。
【００５８】
圧搾部２９（第１圧搾部）は、後側領域Ｒ３に位置しており、圧搾部２８の長手方向及び幅方向の内側に設けられている。また、圧搾部２９は、内側圧搾部２９ａと線状圧搾部（後側線状圧搾部）２９ｂを有し、中央誘導部１４について対称な形状である。内側圧搾部２９ａは、後側圧搾部２８ａより前側で、後側に凸形状で長手方向と交差しており、後側圧搾部２８ａより幅方向の長さが短い。また、線状圧搾部２９ｂの下側の各端と、内側圧搾部２９ａの前側の各端はそれぞれ接続しており、線状圧搾部２９ｂより後側で、内側圧搾部２９ａより前側の各端から、後側領域Ｒ３の前側部分に亘って設けられている。
【００５９】
なお、本実施形態において、前側圧搾部２６ａと各線状圧搾部２６ｂとの境界、線状圧搾部２７ａと各重畳圧搾部２７ｂ、２７ｃとの境界、後側圧搾部２８ａと各線状圧搾部２８ｂとの境界、内側圧搾部２９ａと各線状圧搾部２９ｂは、便宜上設定したがこれに限られない。前側圧搾部２６ａ、後側圧搾部２８ａ、内側圧搾部２９ａは、それぞれ少なくとも中央誘導部１４を跨ぐ長さを有していればよく、各線状圧搾部２６ｂ、各線状圧搾部２８ｂ、各線状圧搾部２９ｂは、少なくとも一部分が長手方向に沿っていればよい。前側圧搾部２７ａ、後側圧搾部２８ａ、及び内側圧搾部２９ａは、少なくとも中央誘導部１４を跨ぐ長さの線状の圧搾部であればよい。また、各重畳圧搾部２７ｂ、２７ｃは必ずしも設けなくてもよいが、各重畳圧搾部２７ｂ、２７ｃを設けることによって、折り畳み部Ｆｆ、Ｆｂによる折れ曲がり動作の生じやすい部分から排泄物が漏れてしまう恐れをより軽減させることができる。各圧搾部２６、２７、２８、２９の長さや形状は任意に設定することができる。
【００６０】
＜中央誘導部１４による吸収体１０を肌側に折り曲げる誘導について＞
吸収体１０に設けられた中央誘導部１４が、厚さ方向に凹んだ中央誘導部１４を基点として、吸収体１０を厚さ方向の肌側に折れ曲がるように誘導することができるため、ナプキン１の着用時に、着用者の脚の挟み込みの力が作用すると、吸収体１０の長手方向の中央領域は、幅方向の側部から中央部に向かって肌側に凸となる形状に変形する。図７は、ナプキン１の使用態様について説明する図である。使用者がナプキン１を装着する際には、ナプキン１を下着の股下部（クロッチ部）に固定した状態で、下着を使用者の股間２０１Ｋ側に引き上げる動作を行う。このとき、図７の状態Ａで表されるように吸収体１０を備えたナプキン１は、中央誘導部１４に沿って肌側に折れ曲がる。そして、ナプキン１が使用者の股間２０１Ｋに装着された状態では、図７の状態Ｂで表されるように、中央誘導部１４に沿って肌側に折れ曲がった部分が膣口等の排泄口２０１Ｈｅが存在する隙間に接しやすくなる。これにより、使用者に良好なフィット性を感じさせ易くなると共に、経血等の排泄物を漏れなく吸収体１０に吸収させ易くすることができる。
【００６１】
＜中央誘導部１４による排泄物の誘導について＞
中央誘導部１４は、長手方向に沿った形状で、圧搾加工によって厚さ方向に凹ませ、液体吸収性繊維の密度を高めているため、排泄物等の液体を長手方向に誘導することができる。以下、排泄物等の液体の拡散性について説明する。本実施形態において、吸収体１０における排泄物等の拡散は、吸収体１０内の液体吸収性繊維の割合が多いため（液体吸収性繊維：ＳＡＰ＝９０：１０）、所謂「毛管現象」によって、排泄物等の拡散が促されている。「毛管現象」とは、「毛細管現象」ともいい、管中の液面の上昇又は効果の度合いは液体の表面張力に比例し、管の内径に反比例することをいう。本実施形態においては、繊維と繊維の間の空間が管に相当し、繊維と繊維の間の狭い空間を重力や上下左右関係なく液体が浸透していく現象をいい、液体吸収性繊維の隙間が狭いほど液体の浸透が速まる。つまり、液体吸収性繊維の密度が高いほど、排泄物がより拡散する。
【００６２】
図８Ａ〜図８Ｄは、本実施形態の吸収体１０と同様にトップシート、吸収性コア、バックシートを有する吸収体であり、所定量の液体を滴下し、一定時間経過後の状態を示している。図８Ａ〜図８Ｄにおいて、各図面の上下方向は長手方向、左右方向は幅方向を示している。
【００６３】
まず、図８Ａは、吸収体点状圧搾部及び中央誘導部を有さない吸収体について説明する図である。この場合、吸収体点状圧搾部と中央誘導部を有していないため、滴下された液体がその場でほぼ同心円状で、滴下された場所でほぼ留まっている。
【００６４】
図８Ｂは、吸収体点状圧搾部を有し、中央誘導部を有さない吸収体について説明する図である。この場合は、滴下された液体は、液体吸収性繊維の密度が高くなった吸収体点状圧搾部の毛管現象によって、隣接する吸収体点状圧搾部間へと促され、図８Ａの場合よりも広い範囲に拡散している。このとき、液体は、長手方向及び幅方向に同程度拡散して、ほぼ同心円状に拡散している。
【００６５】
図８Ｃは、吸収体点状圧搾部を有しておらず、中央誘導部を有する吸収体について説明する図である。そのため、滴下された液体は、液体吸収性繊維の密度が高くなった中央誘導部の毛管現象によって、中央誘導部に沿って液体の拡散が促され、幅方向には液体の拡散があまり進んでいないが、中央誘導部に沿った部分については液体がより長く拡散されている。
【００６６】
図８Ｄは、吸収体点状圧搾部と中央誘導部を有する吸収体について説明する図である。液体吸収性繊維の密度が高くなった吸収体点状圧搾部の毛管現象によって、隣接する吸収体点状圧搾部間へと促され、液体吸収性繊維の密度が高くなった中央誘導部の毛管現象によって、中央誘導部に沿って液体の拡散が促される。その結果、幅方向にも長手方向にも液体の拡散が促されている。このとき、吸収体点状圧搾部のみを形成した場合（図８Ｂ）は、ほぼ同心円状に液体が拡散していたのに対し、中央誘導部による液体の拡散によって、吸収体点状圧搾部による液体の拡散効果と中央誘導部による液体の拡散効果が組み合わされて、液体が拡散した領域が縦長の楕円形状となる（図８Ｄ）。吸収体に均一の間隔で形成された吸収体点状圧搾部は、幅方向及び長手方向へ拡散し、排泄物等が広がった範囲を略同心円状とする。中央誘導部は、吸収体の長手方向に沿って形成されており、液体をより長手方向へ拡散させる。
【００６７】
中央誘導部は、中央誘導部の凹み（圧搾）の深さや、長手方向の長さ及び、中央誘導部が形成された面積等を変化させることで、液体の拡散量を変化させることができる。例えば、より高圧力な圧搾によって形成された中央誘導部は、液体吸収性繊維の密度が高くなり、長手方向への液体の拡散をより促すことができる。また、より長く、より面積の広い中央誘導部は、液体吸収性繊維の密度が高い領域が広くなるため、長手方向への液体の拡散をより促すことができる。
【００６８】
例えば、吸収体に所定量（例えば、５ｍｌ）の人工経血等の液体を吸収体の略中央に滴下し、所定時間（例えば、６０分後）経過後の状態を観察する。その結果に応じて中央誘導部の調整を行うことができる。長手方向への拡散が不十分であると判断できる場合には、中央誘導部の圧搾をより強くしたり、中央誘導部の幅方向の長さをより長くしたりすればよい。また、中央誘導部の長手方向の長さをより長くすることで、吸収体の長手方向のより外側に液体を拡散することもできる。さらに、液体吸収性繊維とＳＡＰとを有する吸収体について、液体吸収性繊維の割合をより一層増やすことで、液体の拡散性を向上させることもできる。一方、長手方向への拡散が進み過ぎていると判断できる場合には、中央誘導部の圧搾をより弱くしたり、中央誘導部の幅方向の長さを短く、狭い範囲に形成したりすればよい。また、吸収体のＳＡＰの構成比を増やしてもよい。
【００６９】
さらに、中央誘導部だけでなく、中央誘導部と、点状及び線状の圧搾部を組合せることにより、液体の拡散をより柔軟に調整することができる。中央誘導部、点状及び線状の圧搾部の圧搾範囲や圧搾の強さ等についても、上記の中央誘導部の調整と同様に、その状態を観察して決定すればよい。
【００７０】
例えば、幅方向への液体の拡散が進み過ぎて、長手方向への液体の拡散が不十分である場合には、中央誘導部をより強い圧搾で形成して長手方向への拡散を促す一方、点状の圧搾部の数を減らして幅方向への液体の拡散を減らしてもよい。同様に、長手方向への液体の拡散が適度に行われ、幅方向への液体の拡散が不十分である場合には、中央誘導部はそのままで、点状の圧搾部の数や圧搾量を増やすことで、幅方向への拡散をより促すことができる。さらに、点状の圧搾部の長手方向の密度と、点状の圧搾部の幅方向の密度を変えることによっても、長手方向への液体の拡散と幅方向への液体の拡散とを変化させることができる。
【００７１】
＜＜＜本実施形態に係るナプキン１の有効性について＞＞＞
図９は、ナプキン１が排泄物を吸収したときの排泄物存在領域Ｑ（ｑ）を説明する模式図である。排泄物存在領域Ｑとは、ナプキン１の吸収体１０が排泄物等を吸収したときに排泄物等が存在する領域をいい、ナプキン１を肌側から見たときに排泄物等を認識できる範囲をいう。図９においては、使用者がナプキン１を使用して一定時間経過した後の状態であり、所定量の排泄物等を吸収した状態を模式的に示したものである。なお、排泄物存在領域Ｑは、一定形状を呈するとは限らず、いびつな形状や、まだらな色彩を有していたりするため、以下の説明においては、排泄物存在領域Ｑに外接した楕円形状（図９中の点線領域）を排泄物存在領域ｑとして説明する。
【００７２】
以下、ナプキン１と基本的に同じ構成を有しているが、中央誘導部１４及び圧搾部２６等を有さないナプキン１００と、本実施形態のナプキン１に所定量の液体を滴下した結果を比較して説明する。ナプキン１００の吸収体１０１及びナプキン１の吸収体１０は、いずれも長手方向の長さが約２８５ｍｍ、幅方向の長さが約７０ｍｍである。ナプキン１００とナプキン１に滴下する液体は、着色した水等の液体を使用し、ナプキン１００及びナプキン１の幅方向の中心線Ｘ−Ｘとウィング粘着部中心線Ｗ−Ｗとが交差する部分に滴下する。そして、滴下された液体が拡散した領域を排泄物存在領域Ｑとして検討するところ、便宜上、排泄物存在領域Ｑの概略図形である排泄物存在領域ｑで説明する。
【００７３】
図１０Ａは、ナプキン１００の使用前の状態を示す模式図である。なお、ナプキン１と同様にナプキン１００の吸収体１０には、複数の吸収体点状圧搾部１５を有している。
【００７４】
図１０Ｂは、図１０Ａのナプキン１００に液体を滴下し、所定時間経過後の状態を示す模式図である。図１０Ａのナプキン１００に、０．５ｍｌの液体を滴下して１時間経過した状態を表している。このとき、排泄物存在領域ｑは、長手方向の長さＴ及び幅方向の長さＳがそれぞれ約３０ｍｍの略同心円形状となり、吸収体１０１の内側に収まっている。
【００７５】
図１０Ｃは、図１０Ａのナプキン１００に液体を滴下し、所定時間経過後の状態を示す模式図である。図１０Ａのナプキン１００に、３．０ｍｌの液体を滴下して１時間経過した状態を表している。このとき、排泄物存在領域ｑは、図１０Ｂの状態より広くなり、長手方向の長さＴ及び幅方向の長さＳがそれぞれ約７５ｍｍの略同心円形状で、吸収体１０１の長手方向には収まっているが、幅方向の両外側にはみ出している。そのため、吸収体１０１の前側領域及び後側領域は、ほとんど液体を吸収していないが、吸収体１０１の幅方向の端から液体が漏れてしまい、ナプキン１の外側にも液体が漏れてしまう恐れを生じる可能性がある。
【００７６】
一方、本実施形態にかかるナプキン１は、中央誘導部１４及び圧搾部２６、２７、２８、２９を有している。図１１Ａは、ナプキン１の使用前の状態を示す模式図である。なお、本実施形態のナプキン１は、排泄物存在領域ｑの長手方向の長さＴの半分（Ｔ／２）を、幅方向の長さＳで除した値（（Ｔ／２）／Ｓ）が、前側圧搾部２６ａの前側の端２６ａｅからウィング粘着部中心線Ｗ−Ｗまでの距離Ｈを、ウィング粘着部中心線Ｗ−Ｗにおける吸収体１０の幅方向の長さＫで除した値（Ｈ／Ｋ）以上とする（（Ｔ／２）／Ｓ≧Ｈ／Ｋ）、中央誘導部１４を備えている。
【００７７】
ここで、前述したように、排泄物等の拡散状態は、中央誘導部の圧搾状態や形状、点状の圧搾部の圧搾状態や分布状態等によって変化する。そこで、例えば、次のような手順により、（Ｔ／２）／Ｓ≧Ｈ／Ｋを実現する中央誘導部１４を形成することが可能となる。まず、点状圧搾部２５の分布密度のみ異なる３種類のナプキン（圧搾部２６、２７、２８、２９は同じ、中央誘導部１４は未形成）を準備する。次に、各ナプキンに対して、圧力を変えて中央誘導部１４（長さは同じ）を圧搾する。これにより、中央誘導部１４の圧搾状態のみ異なる３種類のナプキンが得られる。次に、これらのナプキンに対して、前述したように液体（人工経血等）を滴下して拡散状態を観察し、（Ｔ／２）／Ｓ≧Ｈ／Ｋとなるナプキンを特定する。
（Ｔ／２）／Ｓ≧Ｈ／Ｋとなるナプキンが特定されれば、それに形成された中央誘導部１４を採用すればよい。もし、（Ｔ／２）／Ｓ≧Ｈ／Ｋとなるナプキンが存在しなければ、上記の実験結果を踏まえて、より長手方向（又は幅方向）に拡散させるべく、前述したように、中央誘導部１４の幅や長さを変える等の対応を行なえばよい。
【００７８】
次に、以上のようにして得られたナプキン（（Ｔ／２）／Ｓ≧Ｈ／Ｋとなるナプキン）における排泄物の拡散状態について、図を用いてより詳しく説明する。図１１Ｂは、図１１Ａのナプキン１に液体を滴下し、所定時間経過後の状態を示す模式図である。図１１Ａのナプキン１に、０．５ｍｌの液体を滴下して１時間経過した状態を表している。このとき、排泄物存在領域ｑは、長手方向の長さＴが約６０ｍｍ、幅方向の長さＳが約３０ｍｍの縦長の楕円形状となり、吸収体１０の内側に収まっている。
【００７９】
図１１Ｃは、図１１Ａのナプキン１に液体を滴下し、所定時間経過後の状態を示す模式図である。図１１Ａの状態のナプキン１に３．０ｍｌの液体を滴下して１時間経過した状態を表している。このとき、排泄物存在領域ｑは、長手方向の長さＴが約１２０ｍｍ、幅方向の長さＳが約６０ｍｍの縦長の楕円形状となり、吸収体１０の内側に収まっている。
【００８０】
図１１Ｂ及び図１１Ｃに示すように、本実施形態のナプキン１は、吸収体１０の中心線Ｘ−Ｘとウィング粘着部中心線Ｗ−Ｗとの交差する部分で吸収した排泄物等を、中央誘導部１４が、幅方向よりも長手方向へ拡散させている。排泄物存在領域ｑの長手方向の長さＴの半分（Ｔ／２）を、幅方向の長さＳで除した値（（Ｔ／２）／Ｓ）が、前側圧搾部２６ａの前側の端２６ａｅからウィング粘着部中心線Ｗ−Ｗまでの距離Ｈを、ウィング粘着部中心線Ｗ−Ｗにおける吸収体１０の幅方向の長さＫで除した値（Ｈ／Ｋ）以上とすることで（（Ｔ／２）／Ｓ≧Ｈ／Ｋ）、いずれの状態においても排泄物存在領域ｑを吸収体１０の内側に収めており、吸収体１０のより広い範囲に排泄物を拡散しつつ、吸収体１０の幅方向の外側に排泄物が漏れる恐れを軽減している。つまり、排泄物存在領域ｑが吸収体１０の横端１０ｅに達するより前に前側圧搾部２６ａに達するように排泄物を誘導することができ、ナプキン１００の吸収体１０１の場合よりも、吸収体１０のより広い範囲で排泄物等を吸収させることができる。
【００８１】
また、図１１Ｄは、ナプキン１の最大排泄物存在領域ｑｍを示す模式図である。図１１Ｄに示すように、拡散した液体が前側圧搾部２６ａの前側の端２６ａｅに到達したときの排泄物存在領域ｑを最大排泄物存在領域ｑｍといい、排泄物存在領域ｑｍの長手方向の長さＴｍの半分（Ｔｍ／２）を、幅方向の長さＳｍで除した値（（Ｔｍ／２）／Ｓｍ）が、前側圧搾部２６ａの前側の端２６ａｅからウィング粘着部中心線Ｗ−Ｗまでの距離Ｈを、ウィング粘着部中心線Ｗ−Ｗにおける吸収体１０の幅方向の長さＫで除した値（Ｈ／Ｋ）以上となる（（Ｔｍ／２）／Ｓｍ≧Ｈ／Ｋ）。そのため、最大排泄物存在領域ｑｍの状態まで排泄物が広がった状態においても、吸収体１０の横端１０ｅから排泄物が漏れる恐れを軽減することができる。
【００８２】
なお、最大排泄物存在領域ｑｍは、長手方向においてウィング粘着部中心線Ｗ−Ｗに対して非対称な形状である。つまり、最大排泄物存在領域ｑｍの前側の端（前側圧搾部２６ａの前側の端２６ａｅ）からウィング粘着部中心線Ｗ−Ｗまでの距離より、ウィング粘着部中心線Ｗ−Ｗから最大排泄物存在領域ｑｍの後側の端までの距離の方が長い。これは、吸収体１０の後側領域に設けられた各線状圧搾部２８ｂ、２９ｂが、長手方向への排泄物の拡散を促しているからである。ナプキン１は、前側領域Ｒ１より後側領域Ｒ３の方が長いため、各線状圧搾部２８ｂ、２９ｂによって、より後側領域への排泄物の拡散を促すことができ、最大排泄物存在領域ｑｍをより広い領域にすることができる。
【００８３】
さらに、吸収体１０の中央領域Ｒ２に、長手方向に沿った一方側線状圧搾部２７ａと他方側線状圧搾部２７ａが設けられており、各線状圧搾部２７ａの幅方向の外側の端は外端２７ａｅである。排泄物存在領域ｑの長手方向の長さＴの半分を、排泄物存在領域ｑの幅方向の長さＳで除した値（（Ｔ／２）／Ｓ）が、前側圧搾部２６ａの前側の端２６ａｅからウィング粘着部中心線Ｗ−Ｗまでの距離Ｈを、ウィング粘着部中心線Ｗ−Ｗにおける一方側の外端２７ａｅと他方側の外端２７ａｅとの距離Ｊで除した値以上（（Ｔ／２）／Ｓ≧Ｈ／Ｊ）とすることが好ましい。これにより、排泄物存在領域ｑが、各線状圧搾部２７ａの外端２７ａｅに達すると同時に又は外端２７ａｅに達するより前に、前側圧搾部２６ａに達するように排泄物を誘導することができる。
【００８４】
さらに、ナプキン１は、肌面側を内側にして折り畳むための、幅方向に沿った複数の折り畳み部Ｆｆ、Ｆｂを有しており、吸収体１０は、吸収体１０の後側領域に、厚さ方向に凹み、長手方向と交差する後側圧搾部２８ａを有しており、前側圧搾部２６ａが、ウィング粘着部３１に最も近い前側折り畳み部Ｆｆより前側に設けられ、かつ、ウィング粘着部３１に最も近い後側折り畳み部Ｆｂより後側に設けられていることが好ましい。前側圧搾部２６ａ及び後側圧搾部２８ａは排泄物を幅方向（ａｓ２６、ａｓ２８）に誘導するため、前側圧搾部２６ａ及び後側圧搾部２８ａが、吸収体１０の前端１０ｅｔ及び後端１０ｅｂより外側に排泄物等が漏れる恐れを軽減しており、前側圧搾部２６ａを前側折り畳み部Ｆｆより前側に設け、後側圧搾部２８ａを後側折り畳み部Ｆｂより後側に設けることで、前側圧搾部２６ａと後側圧搾部２８ａの間に設けられた中央誘導部１４の長さを確保することができ、吸収体１０のより広い範囲で排泄物等を吸収させることができる。
【００８５】
さらに、吸収体１０は、長手方向における吸収体１０の後側領域に、厚さ方向に凹み、長手方向に沿った、線状の線状圧搾部２９ｂを有していることが好ましい。この排泄物存在領域Ｑ（ｑ）が線状圧搾部２９ｂにまで到達すると、線状圧搾部２９ｂに沿った後側（ａｂ２９）へ排泄物の拡散を促すことができるため、ナプキン１のように前側より後側の方が長い場合においては、より後側へ排泄物を拡散させた方が吸収体１０のより広い範囲で排泄物を吸収させることができる。なお、本実施形態においては、線状圧搾部２９ｂより幅方向外側に、長手方向における吸収体１０の後側領域に、厚さ方向に凹み、長手方向に沿った、線状の線状圧搾部２８ｂも有している。この線状圧搾部２８ｂについても、排泄物を後側（ａｂ２８）へより拡散することができるため、排泄物存在領域Ｑ（ｑ）が線状圧搾部２８ｂにまで達した場合には、より長手方向への拡散を促して、吸収体１０の横端１０ｅより外側に排泄物が漏れてしまう恐れを軽減することができる。
【００８６】
さらに、吸収体１０は、長手方向における吸収体１０の後側領域に、厚さ方向に凹み、長手方向と交差する後側圧搾部２８ａ、２９ａを有しており、各線状圧搾部２８ｂ、２９ｂは、長手方向における、ウィング粘着部３１の後側の端から最も後側に位置する後側圧搾部２８ａの最も後側の端２８ａｅまでの間に位置していることが好ましい。これにより各線状圧搾部２８ｂ、２９ｂによって後側（ａｂ２８、ａｂ２９）に促された排泄物が、後側圧搾部２８ａまで達すると幅方向の外側（ａｓ２８）へ促されるため、後側圧搾部２８ａより長手方向の外側に排泄物が漏れる恐れを軽減することができる。
【００８７】
さらに、ナプキン１は、一対の線状圧搾部２９ｂと、線状圧搾部２９ｂの長手方向の各端と接続された後側圧搾部２９ａを有する圧搾部２９と、一対の線状圧搾部２８ｂと、線状圧搾部２８ｂと長手方向の各端と接続された後側圧搾部２８ａを有する圧搾部２８を備えており、長手方向及び幅方向において、圧搾部２９は、圧搾部２８より内側に位置していることが好ましい。これにより、線状圧搾部２９ｂによって、排泄物を後側（ａｂ２９）に誘導することができ、後側圧搾部２９ａまで排泄物が広がった場合においても、圧搾部２９より外側に位置する線状圧搾部２８ｂによって、吸収体１０の幅方向の外側に排泄物が漏れてしまう恐れを軽減することができる。また、後側圧搾部２９ａによって、排泄物を幅方向の外側（ａｓ２９）に移動させることができる。さらに、後側圧搾部２９ａより後側に排泄物が広がった場合でも、圧搾部２９より外側に位置する圧搾部２８の後側圧搾部２８ａによって、吸収体１０の後側に排泄物が漏れてしまう恐れを軽減することができる。
【００８８】
さらに、ナプキン１の中央誘導部１４は、吸収体１０の前側の端１０ｅｔから後側の端１０ｅｂまで設けられており、中央誘導部１４は、前側圧搾部２６ａ及び後側圧搾部２８ａと交差していることが好ましい。これによって、中央誘導部１４によって排泄物を長手方向（ａｆ１４、ａｂ１４）へ拡散させつつ、中央誘導部１４と、それぞれ前側圧搾部２６ａ及び後側圧搾部２８ａと交差した部分で、前側圧搾部２６ａ及び後側圧搾部２８ａが幅方向の外側（ａｓ２６、ａｓ２８）へ排泄物の誘導を促すことができるので、吸収体１０の長手方向の外側に排泄物が漏れることを軽減することができる。つまり、ナプキン１の後側領域Ｒ３においては、排泄物を長手方向へ促すことができる一対の線状圧搾部２８ｂと一対の線状圧搾部２９ｂをそれぞれ有し、排泄物を幅方向へ促す傾向が強い後側圧搾部２８ａと後側圧搾部２９ａを有しているため、各線状圧搾部２８ｂ、２９ｂによって排泄物が長手方向の外側へ促された場合においても、後側圧搾部２８ａが実質的に長手方向への拡散を堰き止める役割を担い、吸収体１０の後側の端１０ｅｂの外側に排泄物が漏れてしまう恐れを軽減することができる。
【００８９】
さらに、図６Ｄに示すように、中央誘導部１４の中央部ｃｃにおける厚さ方向の中央位置は、吸収体点状圧搾部１５の中央部ｂｃにおける厚さ方向の中央位置より、肌側に位置していることが好ましい。これによって、吸収体１０が中央誘導部１４を基点に肌側に折り曲がり、使用者の膣口等の排泄口に当接されるため、まず、中央誘導部１４で吸収した排泄物等を肌側から非肌側に移動させて、点状圧搾部１５へ移動させる。これによって、肌に当接する部分に排泄物が滞留することを軽減して、肌触りを向上させることができる。
【００９０】
さらに、図６Ｄに示すように、中央誘導部１４の領域ｃと、中央誘導部１４と幅方向に隣接する吸収体点状圧搾部１５の領域ｂとの間に、液体吸収性繊維の密度が、中央誘導部１４の中央部ｃｃ及び吸収体点状圧搾部１５の中央部ｂｃより低い領域ａが設けられていることが好ましい。つまり、圧搾加工により液体吸収性繊維の密度をより高くした領域ｃと領域ｂとの間に、圧搾加工が施されておらず、液体吸収性繊維の密度が比較的低い領域ａが設けられていることで、液体吸収性繊維の低い領域ａでは、中央誘導部１４で吸収し、移動された排泄物を貯留することができ、領域ａで貯留しきれなくなった排泄物を幅方向に隣接する点状圧搾部に吸収させるという流路の役割を担うことができる。
【００９１】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００９２】
上記の実施形態では、吸収体１０の前端１０ｅｔから後端１０ｅｂまで中央誘導部１４を設けたが、必ずしもこれに限られない。前側圧搾部２６ａの前側の端２６ａｔから後側圧搾部２８の後側の端２８ａｂまでの間に中央誘導部１４を設けるものとしても良い。この場合においても、長手方向において、前側は少なくとも前側圧搾部２６ａまで、後側は少なくとも後側圧搾部２８ａまで中央誘導部１４が排泄物を長手方向に誘導することができるため、長手方向に拡散することを可能にしつつ、前側圧搾部２６ａ及び後側圧搾部２８ａより長手方向の外側には、排泄物を誘導しづらくなるため、長手方向の外側に排泄物が漏れる恐れを軽減することができる。ただし、排泄物の量が多い場合には、吸収体１０の横端１０ｅの外側に排泄物が漏れてしまう恐れがあるため、そのような場合には、中央誘導部１４を吸収体１０の全域に亘って設けることで、前側圧搾部２６及び後側圧搾部２８より長手方向の外側に排泄物を誘導して、排泄物が漏れる恐れを軽減することができる。
【００９３】
また、上記の実施形態では、後側領域Ｒ３において、圧搾部２８と圧搾部２９の２つを設けたが、これに限られない。圧搾部２８だけ設けてもよいし、圧搾部２８、２９以外に更に他の圧搾部を設けてもよい。排泄物存在領域Ｑ（ｑ）の長手方向の長さ及び幅方向の長さを、中央誘導部１４及び圧搾部２８、２９等の圧搾部によって任意に調整することができる。
【００９４】
上記の実施形態では、圧搾部２５や吸収体１０に複数の吸収体点状圧搾部１５を設けたが、必ずしも設ける必要はない。また、中央誘導部１４や圧搾部２６、２７、２８、２９等についても圧搾加工を行うことによって形成したが、これに限られない。目付量を変化させたり、溝部を形成したりしてもよい。中央誘導部１４、圧搾部２５、２６、２７、２８、吸収体点状圧搾部１５等は、排泄物存在領域Ｑ（ｑ）の範囲に対応して、適宜調整することができる。
【００９５】
上記の実施形態では、本発明の吸収性物品を生理用ナプキンとしているがこれに限らず、例えばパンティーライナー、尿取りパッド、使い捨ておむつ等に利用してもよい。
【符号の説明】
【００９６】
１、１００  （生理用）ナプキン（吸収性物品）、３  トップシート、５  バックシート、１０、１０１  吸収体、１０ｅ  横端、１０ｅｔ  前端、１０ｅｂ  後端、１１  肌側シート、１２  吸収性コア、１３  非肌側シート、１４  中央誘導部、１５  吸収体点状圧搾部、２０  ナプキン本体部、２１  本体部用粘着部、２５  点状圧搾部、２６  前方圧搾部、２６ａ  前側圧搾部、２６ａｅ  前側の端、２６ｂ  線状圧搾部、２７  中央圧搾部、２７ａ  線状圧搾部（一方側線状圧搾部、他方側線状圧搾部）、２７ａｅ  外端、２７ｂ、２７ｃ  重畳圧搾部、２８  圧搾部（第２圧搾部）、２８ａ  後側圧搾部、２８ｂ  線状圧搾部（後側線状圧搾部）、２９  圧搾部（第１圧搾部）、２９ａ  内側圧搾部、２９ｂ  線状圧搾部（後側線状圧搾部）、３０  ウィング部、３１  ウィング部用粘着部、Ｆｆ  前側折り畳み部、Ｆｂ  後側折り畳み部、Ｑ  排泄物存在領域、ｑ  排泄物存在領域
【図１】
2017196313.tif 000003
【図２】
2017196313.tif 000004
【図３】
2017196313.tif 000005
【図４】
2017196313.tif 000006
【図５】
2017196313.tif 000007
【図６】
2017196313.tif 000008
【図７】
2017196313.tif 000009
【図８】
2017196313.tif 000010
【図９】
2017196313.tif 000011
【図１０】
2017196313.tif 000012
【図１１】
2017196313.tif 000013
【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
互いに直交する長手方向、幅方向、及び厚さ方向を有し、
吸収体と、
前記厚さ方向の非肌側にそれぞれウィング粘着部を備えた、前記幅方向の外側に突出する一対のウィング部と、を有する吸収性物品であって、
前記吸収体は、
前記幅方向における前記吸収体の中央領域に、前記厚さ方向に凹み、前記長手方向に沿う、排泄物を誘導する中央誘導部と、
前記長手方向における前記吸収体の前側領域に、前記厚さ方向に凹み、前記長手方向と交差する前側圧搾部と、を有しており、
前記吸収体が吸収したときに前記排泄物が存在する領域を排泄物存在領域としたとき、
前記排泄物存在領域の前記長手方向の長さの半分を、前記排泄物存在領域の前記幅方向の長さで除した値が、
前記吸収体の前記前側圧搾部の前記長手方向の最も前側の端から前記ウィング粘着部の前記長手方向の中央までの距離を、前記中央における前記吸収体の前記幅方向の長さで除した値以上となるように、前記中央誘導部が前記排泄物を誘導することを特徴とする吸収性物品。
【請求項２】
請求項１に記載の吸収性物品であって、
前記排泄物が前記前側圧搾部の前記長手方向の最も前側の端に到達したときの前記排泄物存在領域を最大排泄物存在領域とし、
前記最大排泄物存在領域の前記長手方向の長さの半分を、前記最大排泄物存在領域の前記幅方向の長さで除した値が、前記吸収体の前記前側圧搾部の前記長手方向の最も前側の端から前記ウィング粘着部の前記長手方向の中央までの距離を、前記中央における前記吸収体の前記幅方向の長さで除した値以上であることを満たす最も広い領域であることを特徴とする吸収性物品。
【請求項３】
請求項１又は２に記載の吸収性物品であって、
前記吸収体は、前記長手方向における前記吸収体の少なくとも中央領域に、前記長手方向に沿った一方側線状圧搾部及び他方側線状圧搾部が設けられてり、
前記一方側線状圧搾部は、前記幅方向において、前記吸収体の一方側の端と前記中央誘導部との間に位置しており、
前記他方側線状圧搾部は、前記幅方向において、前記吸収体の他方側の端と前記中央誘導部との間に位置しており、
前記排泄物存在領域の前記長手方向の長さの半分を、前記排泄物存在領域の前記幅方向の長さで除した値が、
前記吸収体の前記前側圧搾部の前記長手方向の最も前側の端から前記中央までの距離を、前記中央における前記幅方向における前記一方側線状圧搾部の前記幅方向の外側の端と前記他方側線状圧搾部の前記幅方向の外側の端との距離で除した値以上となるように、前記中央誘導部が前記排泄物を誘導することを特徴とする吸収性物品。
【請求項４】
請求項１から３のいずれか１項に記載の吸収性物品であって、
前記吸収性物品は、肌側面を内側にして折り畳むための、前記幅方向に沿った複数の折り畳み部を有しており、
前記吸収体は、前記長手方向における前記吸収体の後側領域に、前記厚さ方向に凹み、前記長手方向と交差する後側圧搾部を有しており、
前記折り畳み部は、前記ウィング粘着部より前記長手方向の前側、及び前記長手方向の後側に、それぞれ１つ以上設けられており、
前記前側圧搾部が、前記長手方向の前側に位置する前記折り畳み部のうち、前記ウィング粘着部に最も近い前側折り畳み部より前側に設けられ、かつ、前記後側圧搾部が、前記長手方向の後側に位置する前記折り畳み部のうち、前記ウィング粘着部に最も近い後側折り畳み部より後側に設けられていることを特徴とする吸収性物品。
【請求項５】
請求項１から４のいずれか１項に記載の吸収性物品であって、
前記吸収体は、前記長手方向における前記吸収体の後側領域に、前記厚さ方向に凹み、前記長手方向に沿った、線状の後側線状圧搾部を有していることを特徴とする吸収性物品。
【請求項６】
請求項５に記載の吸収性物品であって、
前記吸収体は、前記長手方向における前記吸収体の後側領域に、前記厚さ方向に凹み、前記長手方向と交差する後側圧搾部を少なくとも１つ有しており、
前記後側線状圧搾部は、前記長手方向における、前記ウィング粘着部の後側の端から、最も後側に位置する前記後側圧搾部の最も後側の端までの間に位置していることを特徴とする吸収性物品。
【請求項７】
請求項６に記載の吸収性物品であって、
一対の前記後側線状圧搾部と、前記後側線状圧搾部の前記長手方向の各端と接続された前記後側圧搾部とを有する第１圧搾部と、
一対の他の前記後側線状圧搾部、及び他の前記後側線状圧搾部の前記長手方向の各端と接続された他の前記後側圧搾部とを有する第２圧搾部と、を備えており、
前記長手方向及び前記幅方向において、前記第１圧搾部は、前記第２圧搾部より内側に位置していることを特徴とする吸収性物品。
【請求項８】
請求項６又は７に記載の吸収性物品であって、
前記中央誘導部は、前記吸収体の前側の端から後側の端まで設けられており、
前記中央誘導部は、前記前側圧搾部及び前記後側圧搾部と交差していることを特徴とする吸収性物品。
【請求項９】
請求項１から８のいずれか１項に記載の吸収性物品であって、
前記吸収体は、液体吸収性繊維を有し、前記中央誘導部の前記幅方向の両側にそれぞれ、前記厚さ方向に凹んだ点状圧搾部が複数設けられており、
前記中央誘導部の前記液体吸収性繊維の密度は、前記幅方向において、中央部の方が端部よりも高く、
前記点状圧搾部の前記液体吸収性繊維の密度は、前記幅方向において、中央部の方が端部よりも高く、
前記中央誘導部の中央部の前記厚さ方向における中央位置は、前記点状圧搾部の中央部の前記厚さ方向における中央位置より、前記厚さ方向において肌側に位置することを特徴とする吸収性物品。
【請求項１０】
請求項９に記載の吸収性物品であって、
前記中央誘導部と、前記中央誘導部と前記幅方向に隣接する前記点状圧搾部との間に、前記中央誘導部についての前記中央部及び前記点状圧搾部についての前記中央部の前記液体吸収性繊維の密度より低い前記液体吸収性繊維の密度を有する領域が設けられていることを特徴とする吸収性物品。
【請求項１１】
請求項９又は１０に記載の吸収性物品であって、
前記液体吸収性繊維の密度は、前記中央誘導部についての前記中央部より、前記点状圧搾部についての前記中央部の方が高いことを特徴とする吸収性物品。
【請求項１２】
請求項９から１１のいずれか１項に記載の吸収性物品であって、
前記点状圧搾部の前記長手方向の長さは、前記幅方向の長さより長いことを特徴とする吸収性物品。
【請求項１３】
請求項９から１２のいずれか１項に記載の吸収性物品であって、
前記幅方向において、前記幅方向に隣接する前記点状圧搾部同士の中心の間隔が均等であることを特徴とする吸収性物品。
【手続補正２】
【補正対象書類名】明細書
【補正対象項目名】００１１
【補正方法】変更
【補正の内容】
【００１１】
かかる吸収性物品であって、前記排泄物が前記前側圧搾部の前記長手方向の最も前側の端に到達したときの前記排泄物存在領域を最大排泄物存在領域とし、前記最大排泄物存在領域の前記長手方向の長さの半分を、前記最大排泄物存在領域の前記幅方向の長さで除した値が、前記吸収体の前記前側圧搾部の前記長手方向の最も前側の端から前記ウィング粘着部の前記長手方向の中央までの距離を、前記中央における前記吸収体の前記幅方向の長さで除した値以上であることを満たす最も広い領域であることが好ましい。
【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
互いに直交する長手方向、幅方向、及び厚さ方向を有し、
吸収体と、
前記厚さ方向の非肌側にそれぞれウィング粘着部を備えた、前記幅方向の外側に突出する一対のウィング部と、を有する吸収性物品であって、
前記吸収体は、
前記幅方向における前記吸収体の中央領域に、前記厚さ方向に凹み、前記長手方向に沿う、排泄物を誘導する中央誘導部と、
前記長手方向における前記吸収体の前側領域に、前記厚さ方向に凹み、前記長手方向と交差する前側圧搾部と、を有しており、
前記吸収体が吸収したときに前記排泄物が存在する領域を排泄物存在領域としたとき、
前記排泄物が前記前側圧搾部の前記長手方向の最も前側の端に到達するまでの状態において、常に、
前記排泄物存在領域の前記長手方向の長さの半分を、前記排泄物存在領域の前記幅方向の長さで除した値が、
前記吸収体の前記前側圧搾部の前記長手方向の最も前側の端から前記ウィング粘着部の前記長手方向の中央までの距離を、前記中央における前記吸収体の前記幅方向の長さで除した値以上となるように、前記中央誘導部が前記排泄物を誘導することを特徴とする吸収性物品。
【請求項２】
請求項１に記載の吸収性物品であって、
前記排泄物が前記前側圧搾部の前記長手方向の最も前側の端に到達したときの前記排泄物存在領域を最大排泄物存在領域としたとき、
前記最大排泄物存在領域の前記長手方向の長さの半分を、前記最大排泄物存在領域の前記幅方向の長さで除した値が、前記吸収体の前記前側圧搾部の前記長手方向の最も前側の端から前記ウィング粘着部の前記長手方向の中央までの距離を、前記中央における前記吸収体の前記幅方向の長さで除した値以上であることを特徴とする吸収性物品。
【請求項３】
請求項１又は２に記載の吸収性物品であって、
前記吸収体は、前記長手方向における前記吸収体の少なくとも中央領域に、前記長手方向に沿った一方側線状圧搾部及び他方側線状圧搾部が設けられてり、
前記一方側線状圧搾部は、前記幅方向において、前記吸収体の一方側の端と前記中央誘導部との間に位置しており、
前記他方側線状圧搾部は、前記幅方向において、前記吸収体の他方側の端と前記中央誘導部との間に位置しており、
前記排泄物存在領域の前記長手方向の長さの半分を、前記排泄物存在領域の前記幅方向の長さで除した値が、
前記吸収体の前記前側圧搾部の前記長手方向の最も前側の端から前記中央までの距離を、前記中央における前記幅方向における前記一方側線状圧搾部の前記幅方向の外側の端と前記他方側線状圧搾部の前記幅方向の外側の端との距離で除した値以上となるように、前記中央誘導部が前記排泄物を誘導することを特徴とする吸収性物品。
【請求項４】
請求項１から３のいずれか１項に記載の吸収性物品であって、
前記吸収性物品は、肌側面を内側にして折り畳むための、前記幅方向に沿った複数の折り畳み部を有しており、
前記吸収体は、前記長手方向における前記吸収体の後側領域に、前記厚さ方向に凹み、前記長手方向と交差する後側圧搾部を有しており、
前記折り畳み部は、前記ウィング粘着部より前記長手方向の前側、及び前記長手方向の後側に、それぞれ１つ以上設けられており、
前記前側圧搾部が、前記長手方向の前側に位置する前記折り畳み部のうち、前記ウィング粘着部に最も近い前側折り畳み部より前側に設けられ、かつ、前記後側圧搾部が、前記長手方向の後側に位置する前記折り畳み部のうち、前記ウィング粘着部に最も近い後側折り畳み部より後側に設けられていることを特徴とする吸収性物品。
【請求項５】
請求項１から４のいずれか１項に記載の吸収性物品であって、
前記吸収体は、前記長手方向における前記吸収体の後側領域に、前記厚さ方向に凹み、前記長手方向に沿った、線状の後側線状圧搾部を有していることを特徴とする吸収性物品。
【請求項６】
請求項５に記載の吸収性物品であって、
前記吸収体は、前記長手方向における前記吸収体の後側領域に、前記厚さ方向に凹み、前記長手方向と交差する後側圧搾部を少なくとも１つ有しており、
前記後側線状圧搾部は、前記長手方向における、前記ウィング粘着部の後側の端から、最も後側に位置する前記後側圧搾部の最も後側の端までの間に位置していることを特徴とする吸収性物品。
【請求項７】
請求項６に記載の吸収性物品であって、
一対の前記後側線状圧搾部と、前記後側線状圧搾部の前記長手方向の各端と接続された前記後側圧搾部とを有する第１圧搾部と、
一対の他の前記後側線状圧搾部、及び他の前記後側線状圧搾部の前記長手方向の各端と接続された他の前記後側圧搾部とを有する第２圧搾部と、を備えており、
前記長手方向及び前記幅方向において、前記第１圧搾部は、前記第２圧搾部より内側に位置していることを特徴とする吸収性物品。
【請求項８】
請求項６又は７に記載の吸収性物品であって、
前記中央誘導部は、前記吸収体の前側の端から後側の端まで設けられており、
前記中央誘導部は、前記前側圧搾部及び前記後側圧搾部と交差していることを特徴とする吸収性物品。
【請求項９】
請求項１から８のいずれか１項に記載の吸収性物品であって、
前記吸収体は、液体吸収性繊維を有し、前記中央誘導部の前記幅方向の両側にそれぞれ、前記厚さ方向に凹んだ点状圧搾部が複数設けられており、
前記中央誘導部の前記液体吸収性繊維の密度は、前記幅方向において、中央部の方が端部よりも高く、
前記点状圧搾部の前記液体吸収性繊維の密度は、前記幅方向において、中央部の方が端部よりも高く、
前記中央誘導部の中央部の前記厚さ方向における中央位置は、前記点状圧搾部の中央部の前記厚さ方向における中央位置より、前記厚さ方向において肌側に位置することを特徴とする吸収性物品。
【請求項１０】
請求項９に記載の吸収性物品であって、    
前記中央誘導部と、前記中央誘導部と前記幅方向に隣接する前記点状圧搾部との間に、前記中央誘導部についての前記中央部及び前記点状圧搾部についての前記中央部の前記液体吸収性繊維の密度より低い前記液体吸収性繊維の密度を有する領域が設けられていることを特徴とする吸収性物品。
【請求項１１】
請求項９又は１０に記載の吸収性物品であって、
前記液体吸収性繊維の密度は、前記中央誘導部についての前記中央部より、前記点状圧搾部についての前記中央部の方が高いことを特徴とする吸収性物品。
【請求項１２】
請求項９から１１のいずれか１項に記載の吸収性物品であって、
前記点状圧搾部の前記長手方向の長さは、前記幅方向の長さより長いことを特徴とする吸収性物品。
【請求項１３】
請求項９から１２のいずれか１項に記載の吸収性物品であって、
前記幅方向において、前記幅方向に隣接する前記点状圧搾部同士の中心の間隔が均等であることを特徴とする吸収性物品。
【手続補正２】
【補正対象書類名】明細書
【補正対象項目名】０００９
【補正方法】変更
【補正の内容】
【０００９】
本明細書及び添付図面の記載により、少なくとも次の事項が明らかとなる。
互いに直交する長手方向、幅方向、及び厚さ方向を有し、
吸収体と、
前記厚さ方向の非肌側にそれぞれウィング粘着部を備えた、前記幅方向の外側に突出する一対のウィング部と、を有する吸収性物品であって、
前記吸収体は、
前記幅方向における前記吸収体の中央領域に、前記厚さ方向に凹み、前記長手方向に沿う、排泄物を誘導する中央誘導部と、
前記長手方向における前記吸収体の前側領域に、前記厚さ方向に凹み、前記長手方向と交差する前側圧搾部と、を有しており、
前記吸収体が吸収したときに前記排泄物が存在する領域を排泄物存在領域としたとき、
前記排泄物が前記前側圧搾部の前記長手方向の最も前側の端に到達するまでの状態において、常に、
前記排泄物存在領域の前記長手方向の長さの半分を、前記排泄物存在領域の前記幅方向の長さで除した値が、
前記吸収体の前記前側圧搾部の前記長手方向の最も前側の端から前記ウィング粘着部の前記長手方向の中央までの距離を、前記中央における前記吸収体の前記幅方向の長さで除した値以上となるように、前記中央誘導部が前記排泄物を誘導することを特徴とする吸収性物品。
【手続補正３】
【補正対象書類名】明細書
【補正対象項目名】００１１
【補正方法】変更
【補正の内容】
【００１１】
かかる吸収性物品であって、
前記排泄物が前記前側圧搾部の前記長手方向の最も前側の端に到達したときの前記排泄物存在領域を最大排泄物存在領域としたとき、
前記最大排泄物存在領域の前記長手方向の長さの半分を、前記最大排泄物存在領域の前記幅方向の長さで除した値が、前記吸収体の前記前側圧搾部の前記長手方向の最も前側の端から前記ウィング粘着部の前記長手方向の中央までの距離を、前記中央における前記吸収体の前記幅方向の長さで除した値以上であることが好ましい。